(57)【要約】  本発明は、ゲートドライバ用の走査補償方法及び走査補償回路を提供する。前記走査補償方法は、ゲートドライバが第１の走査モードから第２の走査モードに切り替えられるか又は第２の走査モードから第１の走査モードに切り替えられると、ゲートドライバのクロック信号と第１の補償信号に対して第１の演算を実行し、かつ得られた信号と第２の補償信号に対して第２の演算を実行することを含み、第１の走査モードは、順次走査モードであり、第２の走査モードは、非順次走査モードである。
2019519004.tif 000002
【特許請求の範囲】
【請求項１】
ゲートドライバ用の走査補償方法であって、
前記ゲートドライバが第１の走査モードから第２の走査モードに切り替えられるか又は前記第２の走査モードから前記第１の走査モードに切り替えられると、前記ゲートドライバのクロック信号及び第１の補償信号に対して第１の演算を実行し、かつ得られた信号及び第２の補償信号に対して第２の演算を実行することを含み、
前記第１の走査モードは、順次走査モードであり、前記第２の走査モードは、非順次走査モードであることを特徴とする、ゲートドライバ用の走査補償方法。
【請求項２】
前記第１の演算は、論理和演算であり、前記第２の演算は、論理積演算であることを特徴とする、請求項１に記載のゲートドライバ用の走査補償方法。
【請求項３】
前記第１の補償信号は、前記ゲートドライバのモード切り替えによる対応する行の電位保持時間の増加の程度を低減するために用いられ、前記第２の補償信号は、前記ゲートドライバのモード切り替えによる対応する行の電位保持時間の短縮の程度を低減するために用いられることを特徴とする、請求項１に記載のゲートドライバ用の走査補償方法。
【請求項４】
前記ゲートドライバが前記第１の走査モードから前記第２の走査モードに切り替えられるか又は前記第２の走査モードから前記第１の走査モードに切り替えられると、液晶ディスプレイの複数の行のうちｍ行目がｎ番目で走査されるときに（ただし、ｎ及びｍは、正の整数である）、ｍがｎより小さい場合、前記第１の補償信号の立ち下がりエッジをドライバのクロック信号のｎ番目の周期の波形の立ち上がりエッジに合わせて前記第１の演算を実行し、ｍがｎより大きい場合、前記第２の補償信号の立ち下がりエッジをドライバのクロック信号のｎ番目の周期の波形の立ち上がりエッジに合わせて前記第２の演算を実行し、ｍがｎに等しい場合、ドライバのクロック信号のｎ番目の周期において前記第１の演算又は前記第２の演算を実行しないことを特徴とする、請求項２に記載のゲートドライバ用の走査補償方法。
【請求項５】
前記ゲートドライバが前記第１の走査モードから前記第２の走査モードに切り替えられるか又は前記第２の走査モードから前記第１の走査モードに切り替えられると、液晶ディスプレイの複数の行のうちｍ行目がｎ番目で走査されるときに（ただし、ｎ及びｍは、正の整数である）、ｍがｎより小さい場合、前記第１の補償信号の立ち下がりエッジをドライバのクロック信号のｎ番目の周期の波形の立ち上がりエッジに合わせて前記第１の演算を実行し、ｍがｎより大きい場合、前記第２の補償信号の立ち下がりエッジをドライバのクロック信号のｎ番目の周期の波形の立ち上がりエッジに合わせて前記第２の演算を実行し、ｍがｎに等しい場合、ドライバのクロック信号のｎ番目の周期において前記第１の演算又は前記第２の演算を実行しないことを特徴とする、請求項３に記載のゲートドライバ用の走査補償方法。
【請求項６】
ゲートドライバ用の走査補償回路であって、
前記ゲートドライバが第１の走査モードから第２の走査モードに切り替えられるか又は前記第２の走査モードから前記第１の走査モードに切り替えられると、前記ゲートドライバのクロック信号及び第１の補償信号に対して第１の演算を実行するように構成された第１の補償回路と、
前記ゲートドライバが前記第１の走査モードから前記第２の走査モードに切り替えられるか又は前記第２の走査モードから前記第１の走査モードに切り替えられると、前記第１の演算の出力信号及び第２の補償信号に対して第２の演算を実行するように構成された第２の補償回路とを含み、
前記第１の走査モードは、順次走査モードであり、前記第２の走査モードは、非順次走査モードであることを特徴とする、ゲートドライバ用の走査補償回路。
【請求項７】
前記第１の演算は、論理和演算であり、前記第２の演算は、論理積演算であることを特徴とする、請求項６に記載のゲートドライバ用の走査補償回路。
【請求項８】
前記第１の補償信号は、前記ゲートドライバのモード切り替えによる対応する行の電位保持時間の増加の程度を低減するために用いられ、前記第２の補償信号は、前記ゲートドライバのモード切り替えによる対応する行の電位保持時間の短縮の程度を低減するために用いられることを特徴とする請求項６に記載のゲートドライバ用の走査補償回路。
【請求項９】
前記ゲートドライバが前記第１の走査モードから前記第２の走査モードに切り替えられるか又は前記第２の走査モードから前記第１の走査モードに切り替えられると、液晶ディスプレイの複数の行のうちｍ行目がｎ番目で走査されるときに（ただし、ｎ及びｍは、正の整数である）、ｍがｎより小さい場合、前記第１の補償回路は、前記第１の補償信号の立ち下がりエッジをドライバのクロック信号のｎ番目の周期の波形の立ち上がりエッジに合わせて前記第１の演算を実行し、ｍがｎより大きい場合、前記第２の補償回路は、前記第２の補償信号の立ち下がりエッジをドライバのクロック信号のｎ番目の周期の波形の立ち上がりエッジに合わせて前記第２の演算を実行し、ｍがｎに等しい場合、前記第１の補償回路と前記第２の補償回路は、ドライバのクロック信号のｎ番目の周期において前記第１の演算又は前記第２の演算を実行しないことを特徴とする、請求項７に記載のゲートドライバ用の走査補償回路。
【請求項１０】
前記ゲートドライバが前記第１の走査モードから前記第２の走査モードに切り替えられるか又は前記第２の走査モードから前記第１の走査モードに切り替えられると、液晶ディスプレイの複数の行のうちｍ行目がｎ番目で走査されるときに（ただし、ｎ及びｍは、正の整数である）、ｍがｎより小さい場合、前記第１の補償回路は、前記第１の補償信号の立ち下がりエッジをドライバのクロック信号のｎ番目の周期の波形の立ち上がりエッジに合わせて前記第１の演算を実行し、ｍがｎより大きい場合、前記第２の補償回路は、前記第２の補償信号の立ち下がりエッジをドライバのクロック信号のｎ番目の周期の波形の立ち上がりエッジに合わせて前記第２の演算を実行し、ｍがｎに等しい場合、前記第１の補償回路と前記第２の補償回路は、ドライバのクロック信号のｎ番目の周期において前記第１の演算又は前記第２の演算を実行しないことを特徴とする、請求項８に記載のゲートドライバ用の走査補償回路。
【発明の詳細な説明】
【技術分野】
【０００１】
本発明は、液晶ディスプレイの技術分野に関し、より具体的には、ゲートドライバ用の走査補償方法及び走査補償回路に関する。
【背景技術】
【０００２】
近年、液晶ディスプレイ（ＬＣＤ）は、小型軽量、低消費電力、高表示品質のために大いに人気があり、徐々に従来の陰極線管（ＣＲＴ）ディスプレイに取って代わる。液晶ディスプレイの応用分野は、徐々に拡がって、オーディオビジュアル製品、ノートブックコンピュータなどのディスプレイからデスクトップコンピュータ、エンジニアリングワークステーション（ＥＷＳ）用のモニタなどに発展している。
【０００３】
液晶表示の駆動は、液晶装置の電極に印加される電位信号の位相、ピーク値、周波数などを調整して駆動電界を形成することにより、液晶表示装置の表示効果を実現する。液晶表示の駆動方式は様々あり、一般的な駆動方法は、ダイナミック駆動方法である。液晶表示装置に多数の画素が表示される場合（例えば、ドットマトリクス型液晶表示装置）、大きなハードウェア駆動回路を節約するために、液晶表示装置の電極の製造と配列について加工を行い、マトリクス型の構造を実施し、すなわち横方向の１セットの表示画素の裏面電極を一体に接続して引き出し、行電極と呼び、縦方向の１セットの表示画素のセグメント電極を一体に接続して引き出し、列電極と呼ぶ。液晶表示装置上の各表示画素は、いずれもそれが位置する列と行の位置によって一意に決定される。これに対応して、ＣＲＴと類似のラスタ走査方式を駆動方式として用いる。液晶表示装置のダイナミック駆動方法は、行電極に選択パルスを周期的に印加する（すなわち、行を走査する）と同時に、データを表示するすべての列電極により対応する選択又は非選択の駆動パルスを与えることにより、ある行のすべての表示画素の表示機能を実現することである。このような行走査は、行ごとに順次行われ、サイクル期間が非常に短いため、液晶表示画面に安定した表示を呈する。
【発明の概要】
【発明が解決しようとする課題】
【０００４】
しかしながら、順次走査のモードで、いくつかの特別な再読み込み状況で、ソースドライバの消費電力が大幅に上昇すると同時に、発熱量が増加するため、液晶ディスプレイの正常動作にリスクをもたらす。液晶ディスプレイのこのような特別な再読み込み状況での動作状態を最適化するために、新たなゲートドライバの非順次走査の技術が提案されている。例えば、通常画面において、ゲートドライバの走査モードが順次走査モードであるが、再読み込みを検出すると、ゲートドライバの走査モードが非順次走査モードに切り替えられる。表示画面の差異によって、順次走査モードと非順次走査モードとの間にフレーム単位で切り替えることができる。非順次走査モードを使用すると、いくつかの特別な状況（例えば、再読み込み）でのソースドライバの消費電力と温度を大幅に低減することができるが、いくつかの欠点も存在し、その１つは、異なる行同士の液晶容量（ＬＣ）の電位保持時間が異なるため、表示画面にスジが入る可能性があることである。したがって、表示品質を向上させるために、ゲートドライバの設計をさらに最適化する必要がある。
【課題を解決するための手段】
【０００５】
従来技術の欠点を克服するために、本発明の例示的な実施例は、走査順序の変化によって液晶容量の電位保持時間を変化させる行を補償することにより、電位保持時間の差異による表示の影響を軽減するゲートドライバ用の走査補償方法を提供する。
【０００６】
本発明の例示的な実施例の一態様は、ゲートドライバが第１の走査モードから第２の走査モードに切り替えられるか又は第２の走査モードから第１の走査モードに切り替えられると、ゲートドライバのクロック信号及び第１の補償信号に対して第１の演算を実行し、かつ得られた信号及び第２の補償信号に対して第２の演算を実行することを含み、第１の走査モードが順次走査モードであり、第２の走査モードが非順次走査モードであるゲートドライバ用の走査補償方法を提供する。
【０００７】
好ましくは、第１の演算は、論理和演算であり、第２の演算は、論理積演算である。
【０００８】
好ましくは、第１の補償信号は、ゲートドライバのモード切り替えによる対応する行の電位保持時間の増加の程度を低減するために用いられ、第２の補償信号は、ゲートドライバのモード切り替えによる対応する行の電位保持時間の短縮の程度を低減するために用いられる。
【０００９】
好ましくは、ゲートドライバが第１の走査モードから第２の走査モードに切り替えられるか又は第２の走査モードから第１の走査モードに切り替えられると、液晶ディスプレイの複数の行のうちｍ行目がｎ番目で走査されるときに（ただし、ｎ及びｍは、正の整数である）、ｍがｎより小さい場合、第１の補償信号の立ち下がりエッジをドライバのクロック信号のｎ番目の周期の波形の立ち上がりエッジに合わせ、ｍがｎより大きい場合、第２の補償信号の立ち下がりエッジをドライバのクロック信号のｎ番目の周期の波形の立ち上がりエッジに合わせ、ｍがｎに等しい場合、ドライバのクロック信号のｎ番目の周期において第１の演算又は第２の演算を実行しない。
【００１０】
本発明の例示的な実施例の他の態様は、ゲートドライバが第１の走査モードから第２の走査モードに切り替えられるか又は第２の走査モードから第１の走査モードに切り替えられると、ゲートドライバのクロック信号及び第１の補償信号に対して第１の演算を実行するように構成された第１の補償回路と、ゲートドライバが第１の走査モードから第２の走査モードに切り替えられるか又は第２の走査モードから第１の走査モードに切り替えられると、第１の演算の出力信号及び第２の補償信号に対して第２の演算を実行するように構成された第２の補償回路とを含み、第１の走査モードが順次走査モードであり、第２の走査モードが非順次走査モードであるゲートドライバ用の走査補償回路を提供する。
【００１１】
好ましくは、第１の演算は、論理和演算であり、第２の演算は、論理積演算である。
【００１２】
好ましくは、第１の補償信号は、ゲートドライバのモード切り替えによる対応する行の電位保持時間の増加の程度を低減するために用いられ、第２の補償信号は、ゲートドライバのモード切り替えによる対応する行の電位保持時間の短縮の程度を低減するために用いられる。
【００１３】
好ましくは、ゲートドライバが第１の走査モードから第２の走査モードに切り替えられるか又は第２の走査モードから第１の走査モードに切り替えられると、液晶ディスプレイの複数の行のうちｍ行目がｎ番目で走査されるときに（ただし、ｎ及びｍは、正の整数である）、ｍがｎより小さい場合、第１の補償回路は、第１の補償信号の立ち下がりエッジをドライバのクロック信号のｎ番目の周期の波形の立ち上がりエッジに合わせ、ｍがｎより大きい場合、第２の補償回路は、第２の補償信号の立ち下がりエッジをドライバのクロック信号のｎ番目の周期の波形の立ち上がりエッジに合わせ、ｍがｎに等しい場合、第１の補償回路と第２の補償回路は、ドライバのクロック信号のｎ番目の周期で第１の演算又は第２の演算を実行しない。
【００１４】
本発明の例示的な実施例に係るゲートドライバ用の走査補償方法及び走査補償回路は、走査順序の変化による液晶容量の電位保持時間の変化を補償することにより、電位保持時間の差異による表示画面の影響を弱めることができる。
【００１５】
例示的な実施例の他の態様は、以下の説明において部分的に論述し、かつ該説明から部分的に明らかになるか、又は本開示の実施によって得ることができる。
【００１６】
以下に図面を合わせて行われた実施例に対する説明により、本発明の上記及び／又は他の目的及び利点がより明らかとなる。
【図面の簡単な説明】
【００１７】
【図１Ａ】本発明の例示的な実施例に係る第１の走査モードでの行が走査される順序の一例を示す図である。
【図１Ｂ】本発明の例示的な実施例に係る第２の走査モードでの行が走査される順序の一例を示す図である。
【図２】本発明の例示的な実施例に係る走査補償方法を用いてゲートドライバが第１のモードから第２の走査モードに切り替えられるときに行走査することを示す説明図である。
【図３Ａ】本発明の例示的な実施例に係る走査補償方法を用いて行走査するより一般的な状況を示す説明図である。
【図３Ｂ】本発明の例示的な実施例に係る走査補償方法を用いて行走査するより一般的な状況を示す説明図である。
【図４】本発明の例示的な実施例に係る走査補償方法を示すフローチャートである。
【図５】本発明の例示的な実施例に係る走査補償回路を示す論理ブロック図である。
【発明を実施するための形態】
【００１８】
現在、本発明の例示的な実施例を詳しく説明し、これらの例示的な実施例が図面に示され、ここで、全体を通じて同一要素を示すために同一の参照番号が使用される。この点で、本例示的な実施例は、異なる形態を有してもよく、かつ本明細書に記載された説明に限定されると解釈されるべきではない。したがって、以下に図面を参照して例示的な実施例を説明することによってのみ、発明思想の様々な態様を解釈する。本明細書で使用されるような用語「及び／又は」は、掲載された項目の１つ以上の任意及びすべての組み合わせを含む。「……のうちの少なくとも１つ」のような記述は、１列の要素の後にある場合、前記記述は、該列の個々の要素を修飾することではなく、列全体の要素を修飾することになる。
【００１９】
本明細書で使用される用語は、例示的な実施例を記述するためのものに過ぎず、本発明の思想を制限することを意図するものではない。文脈で特に明確に指示しない限り、本明細書で使用されるような単数形式は複数形式を含むことも意図する。理解すべきこととして、「含む」、「有する」などの用語が本明細書で使用される場合、記述された特徴、全体、ステップ、操作、素子、部品、又はそれらの組み合わせの存在を示すが、１つ以上の他の特徴、全体、ステップ、操作、素子、部品、又はそれらの組み合わせの存在又は追加を排除しない。理解すべきこととして、第１、第２、第３などの用語が各種の素子、部品、領域、層及び／又は部分を説明するために本明細書で使用されるが、これらの素子、部品、領域、層及び／又は部分はこれらの用語により制限されるべきではない。これらの用語は、単に１つの素子、部品、領域、層又は部分を他の領域、層又は部分と区別するために使用される。したがって、本開示の教示から逸脱することなく、以下に説明された第１の素子、部品、領域、層又は部分は、第２の素子、部品、領域、層又は部分と呼ぶことができる。
【００２０】
特に定義されない限り、本明細書で使用されるすべての用語（技術用語及び科学用語 ）は、本開示の主題が属する分野の当業者に一般的に理解されるものと同じ意味を有する。さらに理解すべきこととして、本明細書で明確に定義されない限り、用語（例えば、汎用な辞典で定義された用語）は、それらの関連分野の背景での意味と一致する意味を有し、理想化又は過度に正式な意味と解釈されるべきではない。
【００２１】
さらに注意すべきこととして、いくつかの代替的な実施形態において、示された機能／動作は、図面に示された順序で発生しなくてもよい。例えば、連続して示される２つの図は、関与する機能／動作に応じて、実質的に同時に実行されるか又は時には逆の順序で実行されてもよい。
【００２２】
以下、示されたいくつかの実施例の図面を参照しながら、様々な例示的な実施例をより十分に説明する。図面において、簡略化のために、層の厚さ又は領域が誇張される。
【００２３】
図１Ａは、本発明の例示的な実施例に係る第１の走査モードでの行が走査される順序の一例を示す図である。
【００２４】
図１を参照すると、４つの行（例えば、Ｌ１、Ｌ２、Ｌ３及びＬ４）を走査することを例とする。ここで、用語「行」は、画素行を指す。画素行を走査することは、該画素行をオンにすることと呼ぶこともできる。第１の走査モード（「順次走査モード」とも呼ばれる）で、各行に対する走査は、行ごとの走査（すなわち、上から下へ）である。例えば、ゲートドライバから出力されたゲート信号ＣＫＶに基づいて、まずＬ１を走査し、次にＬ２を走査し、続いてＬ３を走査し、最後にＬ４を走査する。ゲート信号ＣＫＶは、周期的信号であり、各周期は、１行の走査に対応する。しかしながら、いくつかの特別な状況（例えば、画面の再読み込み）が発生すると、順次走査のモードで走査することは、ソースドライバの消費電力が明らかに上昇し、発熱量が増加することをもたらすため、液晶ディスプレイの正常動作に有害である。以下に図１Ｂを参照しながら第２の走査モード（「非順次走査モード」とも呼ばれる）で走査する一例を説明する。
【００２５】
図１Ｂは、本発明の例示的な実施例に係る第２の走査モードでの行が走査される順序の一例を示す図である。
【００２６】
図１Ｂを参照すると、依然として４つの行（例えば、Ｌ１、Ｌ２、Ｌ３及びＬ４）を走査することを例とする。
【００２７】
液晶ディスプレイの再読み込みの画面での動作状態を最適化するために、再読み込みを検出すると、ゲートドライバは、第１の走査モード（すなわち、順次走査モード）から第２の走査モード（すなわち、非順次走査モード）に切り替えられる。第２の走査モードで、各行に対する走査は、上から下へではない。例えば、ゲートドライバから出力されたゲート信号ＣＫＶに基づいて、まずＬ１を走査し、次にＬ３を走査し、続いてＬ２を走査し、最後にＬ４を走査する。したがって、図１Ａ及び図１Ｂに示すように、表示画面に基づいて、ゲート信号の走査順序に応じて第１の走査モードと第２の走査モードとの間にフレーム単位で切り替えることができる。
【００２８】
第２の走査モードを用いて行走査することは、ソースドライバの消費電力及び温度を明らかに低減するが、いくつかの悪影響も与える。例えば、順次走査モードで、各行にとって、該行が各フレームにおいてオンにされる時点がいずれも同じであるため、フレームを切り替える場合、充電が完了した後、各行の液晶容量の電位保持時間は、いずれも同じである（図１に示すように、各行の低電位段階は、液晶容量の電位保持段階である）。しかしながら、順次走査モードから非順次走査モードに切り替えて各行を走査する場合、いくつかの行がオンにされる時点が変化する可能性があるため、これらの行の電位保持時間の差異によって表示画面にスジが入る可能性がある。したがって、ゲートドライバをさらに最適化する必要がある。
【００２９】
図２は、本発明の例示的な実施例に係る走査補償方法を用いてゲートドライバが第１のモードから第２の走査モードに切り替えられるときに行走査することを示す説明図である。
【００３０】
図２を参照すると、ゲートドライバのクロック信号ＣＫＶと第１の補償信号及び第２の補償信号とが第１の演算及び第２の演算を実行した後に生成された信号は、ＣＫＶ＿Ｃである。演算された信号ＣＫＶ＿Ｃは、ゲートドライバのクロック信号として用いられる。上述したように、ゲートドライバが第１の走査モードから第２の走査モードに切り替えられると、行をオンにする時点が変化するため、該行に対応する電位保持時間も変化する。例えば、Ｌ１及びＬ４の電位保持時間が変化せず、Ｌ２のオンにする時間が遅延し、Ｌ３のオンにする時間が前倒しになる。Ｌ２のオンにする時間が遅延するため、その電位保持時間が増加する。Ｌ３のオンにする時間が前倒しになるため、その電位保持時間が短縮される。この点で、オンにする時間が遅延したＬ２に対して、対応するゲートドライバのクロック信号ＣＫＶの周期の立ち上がりエッジを第１の補償信号Ｓ１の立ち下がりエッジに合わせ、それにより第１の演算（すなわち、論理和（ＯＲ）演算）を実行して演算された信号ＣＫＶ＿Ｃの対応する周期の波形を調整する。図２に示すように、行走査信号がクロック信号ＣＫＶ＿Ｃの立ち上がりエッジによりトリガされるため、Ｌ２は、第１の補償信号Ｓ１の作用により前倒ししてオンにされ、それにより第２の走査モードへの切り替えによるＬ２の電位保持時間の増加の程度が対応して低減される。すなわち、Ｌ２の電位保持時間増加の値は減少し、減少した値は、△Ｔ２で表される。換言すれば、第１の補償信号Ｓ１は、ゲートドライバのモード切り替えによる対応する行の電位保持時間の増加の程度を低減するために用いることができる。他方で、オンにする時間が前倒しになったＬ３に対して、対応するゲートドライバのクロック信号ＣＫＶの周期の立ち上がりエッジを第２の補償信号Ｓ２の立ち下がりエッジに合わせ、それにより第２の演算（すなわち、論理積（ＡＮＤ）演算）を実行して演算された信号ＣＫＶ＿Ｃの対応する周期の波形を調整する。図２に示すように、行走査信号がクロック信号ＣＫＶ＿Ｃの立ち上がりエッジによりトリガされるため、Ｌ３は、第２の補償信号Ｓ２の作用により遅延してオンにされ、それにより第２の走査モードへの切り替えによるＬ３の電位保持時間の短縮の程度が対応して低減される。すなわち、Ｌ３の電位保持時間短縮の値は増加し、増加した値は、△Ｔ１で表される。換言すれば、第２の補償信号Ｓ２は、ゲートドライバのモード切り替えによる対応する行の電位保持時間の短縮の程度を低減するために用いることができる。本発明の例示的な実施例によれば、△Ｔ１及び△Ｔ２の値は調整可能である。実際の表示画面に応じて△Ｔ１及び△Ｔ２を調整することができる。
【００３１】
同様に、ゲートドライバが第２の走査モードから第１の走査モードに切り替えられると、各行の対応する電位保持時間も変化する。例えば、この例において、行ごとの順次走査を回復するために、Ｌ２のオンにする時間が前倒しになる必要があり、Ｌ３のオンにする時間が遅延する必要がある。したがって、Ｌ２の電位保持時間が短縮される必要があるが、Ｌ３の電位保持時間が増加する必要がある。この時に、オンにする時間が前倒しになったＬ２に対して、対応するゲートドライバのクロック信号ＣＫＶの周期の立ち上がりエッジを第２の補償信号Ｓ２の立ち下がりエッジに合わせ、それにより第２の演算（すなわち、論理積（ＡＮＤ）演算）を実行して演算された信号ＣＫＶ＿Ｃの対応する周期の波形を調整する。したがって、Ｌ２は、第２の補償信号Ｓ２の作用により遅延してオンにされ、それにより第１の走査モードへの切り替えによるＬ２の電位保持時間の短縮の程度が対応して低減される。他方で、オンにする時間が遅延したＬ３に対して、対応するゲートドライバのクロック信号ＣＫＶの周期の立ち上がりエッジを第１の補償信号Ｓ１の立ち下がりエッジに合わせ、それにより第１の演算（すなわち、論理和（ＯＲ）演算）を実行して演算された信号ＣＫＶ＿Ｃの対応する周期の波形を調整する。したがって、Ｌ３は、第１の補償信号Ｓ１の作用により前倒ししてオンにされ、それにより第１の走査モードへの切り替えによるＬ３の電位保持時間の増加の程度が対応して低減される。
【００３２】
上記例示的な実施例によれば、走査モードの切り替えによる電位保持時間Ｌ２及びＬ３の変化の程度を調整することにより、それに起因する表示画面にスジが入るなどの悪影響を明らかに低減することができる。
【００３３】
図３Ａと図３Ｂは、本発明の例示的な実施例に係る走査補償方法を用いて行走査するより一般的な状況を示す説明図である。
【００３４】
図３Ａを参照すると、ゲートドライバが第１の走査モードと第２の走査モードとの間に切り替えられると、本発明の例示的な実施例に係る走査補償方法を用いて液晶ディスプレイの複数の行における一部の行の走査順序を変化させる。この点で、ｍ行目がｎ番目で走査されると（ここで、ｍ及びｎは、正の整数である）、ｍがｎより小さければ、第１の補償信号Ｓ１の立ち下がりエッジをゲートドライバのクロック信号のｎ番目の周期の波形の立ち上がりエッジに合わせる。このようにして、第１の演算と第２の演算を実行する結果は、ｍ行目の電位保持時間を増加させる程度が低減されることである。また、ｍがｎより大きければ、第２の補償信号の立ち下がりエッジをドライバのクロック信号のｎ番目の周期の波形の立ち上がりエッジに合わせる。このようにして、第１の演算と第２の演算を実行する結果は、ｍ行目の電位保持時間を短縮する程度が低減されることである。第１の補償信号の立ち上がりエッジを印加する時間と第２の補償信号の立ち上がりエッジを印加する時間は、実際の表示画面に応じて調整することができる。したがって、走査モードの切り替えによる電位保持時間の変化の程度を調整することにより、それが表示画面に対する悪影響（例えば、スジが入るなど）を明らかに低減することができる。
【００３５】
図４は、本発明の例示的な実施例に係る走査補償方法を示すフローチャートである。
【００３６】
図４を参照すると、ゲートドライバの走査モードが切り替えられ、液晶ディスプレイの複数の行のうちｍ行目がｎ番目で走査される場合、ステップＳ１０１において、ｍがｎに等しいか否かを判断する。ここで、ｍ及びｎは正の整数である。ｍがｎに等しい場合、本方法を実行しない（すなわち、方法は終了に進む）。
【００３７】
ｍがｎに等しいことが対応する行の走査順序が変化しないことを示すため、その電位保持時間は変化せず、それにより表示画面に影響を与えない。ｍがｎに等しくない場合、ステップＳ１０２において、ゲートドライバのクロック信号と第１の補償信号Ｓ１に対して、第１の演算（すなわち、論理和演算）を実行する。そして、ステップＳ１０３において、ステップＳ１０２で得られた演算された信号と第２の補償信号Ｓ２に対して、第２の演算（すなわち、論理積演算）を実行する。ステップＳ１０４において、ｍがｎより小さいか否かを判断する。ｍがｎより小さければ、ステップＳ１０５において、第１の補償信号Ｓ１の立ち下がりエッジをゲートドライバのクロック信号のｎ番目の周期の波形の立ち上がりエッジに合わせる。ステップＳ１０５において、第１の補償信号Ｓ１の作用により、ゲートドライバのクロック信号のｎ番目の周期において、演算された信号ＣＫＶ＿Ｃのトリガ時間が前倒しになるため、対応する行は、前倒ししてオンにされる。第１の補償信号Ｓ１の立ち上がりエッジを印加する時間を調整することにより、前倒しになった時間量を調整することができ、それにより対応する行が前倒ししてオンにされる程度を制御することができる。ｍがｎより大きければ、ステップＳ１０６において、第２の補償信号Ｓ２の立ち下がりエッジをゲートドライバのクロック信号のｎ番目の周期の波形の立ち上がりエッジに合わせる。ステップＳ１０６において、第２の補償信号Ｓ２の作用により、ゲートドライバのクロック信号のｎ番目の周期において、演算された信号ＣＫＶ＿Ｃのトリガ時間が遅延したので、対応する行が遅延してオンにされる。第２の補償信号Ｓ２の立ち上がりエッジを印加する時間を調整することにより、遅延した時間量を調整することができ、それにより対応する行が遅延してオンにされる程度を制御することができる。
【００３８】
図５は、本発明の例示的な実施例に係る走査補償回路を示す論理ブロック図である。
【００３９】
図５を参照すると、走査補償回路２０は、第１の補償回路１００と、第２の補償回路２００とを含む。
【００４０】
第１の補償回路１００は、ゲートドライバのクロック信号ＣＫＶ及び第１の補償信号Ｓ１を第１の補償回路１００の入力端に入力できる論理和（ＯＲ）ゲートであってもよく、論理和ゲートの出力端は、論理和演算の結果信号を出力することができ、該結果信号は、入力として第２の補償回路２００に入力することができる。第２の補償回路２００は、論理積（ＡＮＤ）ゲートであってもよい。第２の補償回路２００の入力端は、第１の補償回路１００の出力信号と第２の補償信号Ｓ２を受信し、かつ論理積演算された信号ＣＫＶ＿Ｃをクロック信号としてゲートドライバに出力する。本例において、第１の補償回路１００が論理和ゲートであり、第２の補償回路２００が論理積ゲートであることを示すが、例示的な実施例はこれに限定されるものではない。第１の補償回路１００及び第２の補償回路２００は、類似の機能を有する他の論理回路であってもよい。
【００４１】
図５に示すように、第１の補償回路１００は、第１の補償信号Ｓ１とドライバのクロック信号ＣＫＶに対して論理和演算を実行し、そして、第２の補償回路２００は、第１の補償回路１００の出力信号と第２の補償信号Ｓ２に対して論理積演算を実行し、かつ演算された信号ＣＫＶ＿Ｃをクロック信号としてゲートドライバに出力する。
【００４２】
上述したように、本発明の例示的な実施例に係るゲートドライバ用の走査補償方法及び走査補償回路は、走査順序の変化による液晶容量の電位保持時間の変化を補償することにより、電位保持時間の差異による表示画面の影響を弱め、液晶表示の安定性を向上させることができる。
【００４３】
例示的な実施例によれば、図４に示されるブロックによって表される部品、素子又はユニットのうちの少なくとも１つは、それぞれ上記機能を実行する様々な数のハードウェア、ソフトウェア及び／又はファームウェア構造として実施されてもよい。例えば、これらの部品、素子又はユニットのうちの少なくとも１つは、１つ以上のマイクロプロセッサ又は他の制御装置の制御によってそれぞれの機能を実行できる直接回路構造（例えば、メモリ、処理装置、論理ユニット、ルックアップテーブルなどなど）を使用することができる。また、これらの部品、素子又はユニットのうちの少なくとも１つは、特定の論理機能を実行するための１つ以上の実行可能な命令を含むモジュール、プログラム又はコードの一部によって具体化されてもよく、かつプロセッサ又は他の制御装置によって実行される。また、これらの部品、素子又はユニットのうちの少なくとも１つは、それぞれの機能を実行する中央処理装置（ＣＰＵ）のようなマイクロプロセッサ、プロセッサなどをさらに含むことができる。これらの部品、素子又はユニットのうちの２つ以上は、単一の部品、素子又はユニットに組み合わせることができ、前記単一の部品、素子又はユニットは、組み合わせられた２つ以上の部品、素子又はユニットのすべての操作又は機能を実行する。また、これらの部品、素子又はユニットのうちの少なくとも１つの少なくとも部分的な機能は、これらの部品、素子又はユニットのうちの他のものによって実行することができる。また、上記ブロック図においてバスが示されていないが、部品、素子又はユニットの間の通信は、バスによって実行することができる。以上の例示的な実施例の機能面は、１つ以上のプロセッサで実行されたアルゴリズムにおいて実施されてもよい。さらに、ブロック又は処理ステップによって表された部品、素子又はユニットは、任意の数の関連技術を用いて、電子工学構成、信号処理及び／又は制御、データ処理などを行うことができる。
【００４４】
方法ステップは、入力データを操作して出力を生成することによって機能を実行するためのコンピュータプログラムを実行する１つ以上のプログラマブルプロセッサによって実行されてもよい。方法ステップは、専用の論理回路（例えば、ＦＰＧＡ（フィールドプログラマブルゲートアレイ）又はＡＳＩＣ（特定用途向け集積回路））によって実行することもでき、かつ装置は専用の論理回路によって実現することができる。
【００４５】
様々な実施例において、コンピュータ可読媒体は、実行されると、装置に方法ステップの少なくとも一部を実行させる命令を含むことができる。いくつかの実施例において、コンピュータ可読媒体は、磁気媒体、光学媒体、他の媒体、又はそれらの組み合わせ（例えば、ＣＤ−ＲＯＭ、ハードディスクドライブ、読み出し専用メモリ、フラッシュドライブなど）に含まれてもよい。このような実施例において、コンピュータ可読媒体は、一時的でない有形の製品であってもよい。
【００４６】
例示的な実施例を参照して本発明の主題の原理を説明したが、本開示の精神及び範囲から逸脱することなく、本明細書に記載された例示的な実施例に対して様々な変更及び修正を行うことができることは、当業者には明らかになる。したがって、上記の実施例は限定的なものではなく、単に例示的なものであると理解されるべきである。したがって、本開示の思想の範囲は、特許請求の範囲及びその均等物の最も広い可能な解釈によって決定され、前述の説明により制限又は限定されるべきではない。したがって、特許請求は、実施例の範囲内に属するすべての修正及び変更を含むことを意図すると理解されるべきである。
【符号の説明】
【００４７】
１００  第１の補償回路
２００  第２の補償回路
【図１Ａ】
2019519004.tif 000003
【図１Ｂ】
2019519004.tif 000004
【図２】
2019519004.tif 000005
【図３Ａ】
2019519004.tif 000006
【図３Ｂ】
2019519004.tif 000007
【図４】
2019519004.tif 000008
【図５】
2019519004.tif 000009
【国際調査報告】
2019519004.tif 000010
2019519004.tif 000011
2019519004.tif 000012
2019519004.tif 000013